(57)【特許請求の範囲】
【請求項１】
壁面に沿って設けられる収納設備であって、下部収納ユニットと、該下部収納ユニットの上方に間隔をおいて配設される上部収納ユニットと、上記下部収納ユニットと上部収納ユニットとの側面に略コ字形に配置される側部収納ユニットと、アクセントウォールとからなり、該アクセントウォールは上記上部収納ユニットと下部収納ユニットとの間の壁面に固定され、上記上部収納ユニットはアクセントウォールの上側端面に支持されるとともに、壁面に固定されてなる収納設備において、アクセントウォールは下部収納ユニットの上に載置されその上側端面の水平レベル出しがなされて壁面にビスで固定され、該水平に固定されたアクセントウォールの上側端面の上に上部収納ユニットが載置された状態で壁面にビスで固定されてなることを特徴とする収納設備。
【請求項２】
上記アクセントウォールがハンギング収納板である請求項１に記載の収納設備。
【請求項３】
上記ハンギング収納板が水平方向にレール部を凹設するとともに、このレール部に収納手段がスライド自在に吊持される請求項２に記載の収納設備。
【発明の詳細な説明】
【技術分野】
【０００１】
本発明は、収納設備に関する。さらに詳しくは、複数の収納ユニットを組み合わせてなる収納設備に関する。
【背景技術】
【０００２】
従来、収納設備、とくに、玄関土間と玄関床とにわたるように玄関の壁に沿って設置される玄関収納ユニットは公知であり、例えば、下記特許文献１に記載の技術をあげることができる。すなわち、下記特許文献１の図１、図３に示されているように、上記玄関収納ユニットは、下部収納ユニットと、この下部収納ユニットの上方に間隔を隔てて配置した上部収納ユニットと、玄関の入り口側と反対側の側部に配置して上部収納ユニットや下部収納ユニットと一体に繋がった側部収納ユニットと、下部収納ユニットの上面に設けたカウンターと、カウンターと上部収納ユニットとの間に設けた飾り部とから構成されている。
【特許文献１】特開２０００−２３７６８号公報（第１〜３頁、第１図、第３図）
【発明の開示】
【発明が解決しようとする課題】
【０００３】
しかしながら、上記特許文献１に記載の玄関収納ユニットは、上部収納ユニットと下部収納ユニットと側部収納ユニットとが一体に繋がっているため、一人の作業者が上部収納ユニットの側部収納ユニットの反対側を支えている間に、他の作業者が上記上部収納ユニットと下部収納ユニットとの間に、飾り部や棚ユニット等を設置しなければならず、必ずしも施工性がよいものとはいえない。そこで、本発明は上記のように２名の作業者を必要とすることなく、通常、一人の作業者によって作業性よく施工できるとともに、収納性が向上し、かつ、外観に優れた収納設備を提供することを、その課題とする。
【課題を解決するための手段】
【０００４】
上記課題を解決するために、本発明においては、つぎのような技術的手段を講じている。すなわち、請求項１に記載の発明によれば、壁面に沿って設けられる収納設備であって、下部収納ユニットと、該下部収納ユニットの上方に間隔をおいて配設される上部収納ユニットと、上記下部収納ユニットと上部収納ユニットとの側面に略コ字形に配置される側部収納ユニットと、アクセントウォールとからなり、該アクセントウォールは、上記上部収納ユニットと下部収納ユニットとの間の壁面に固定され、上記上部収納ユニットはアクセントウォールの上側端面に支持されるとともに、壁面に固定されてなる収納設備において、アクセントウォールは下部収納ユニットの上に載置されその上側端面の水平レベル出しがなされて壁面にビスで固定され、該水平に固定されたアクセントウォールの上側端面の上に上部収納ユニットが載置された状態で壁面にビスで固定されてなることを特徴とする収納設備が提供される。
【０００５】
請求項２に記載の収納設備は、請求項１に記載の発明に加えて、上記アクセントウォールがハンギング収納板とされる。上記アクセントウォールとしては、天然木調の化粧板、飾り板、収納板等、上部収納ユニットと下部収納ユニットとの間の壁面の意匠性を向上させるパネル体であれば、とくに限定されるものではないが、上記壁面を収納部として有効に利用するため、ハンギング収納板とすることが好ましい。
【０００６】
請求項３に記載の収納設備は、請求項２に記載の発明に加えて、上記ハンギング収納板が水平方向にレール部を凹設するとともに、このレール部に収納手段がスライド自在に吊持されることが好ましい。収納手段としては、とくに限定されず、収納トレイ、引き出し、小物掛けフック等をあげることができる。
【発明の効果】
【０００７】
請求項１に記載の発明にかかる収納設備は上記のとおりであり、上部収納ユニットと下部収納ユニットと側部収納ユニットとが略コ字形に配置され、上部収納ユニットと下部収納ユニットとの間にアクセントウォールが壁面に固定されるとともに、上記上部収納ユニットはアクセントウォールの上側端面に支持され、壁面に固定されてなるため、まず、下部収納ユニットの上にアクセントウォールを仮置きして固定手段によって壁面に固定し、つぎにアクセントウォールの上側端面の上に上部収納ユニットを載置して壁面に固定することが可能となり、他の作業者が支えて補助することなく、一人で施工することができる。
【０００８】
請求項２に記載の収納設備は上記のとおりであり、請求項１の収納設備の有する効果に加え、上記アクセントウォールがハンギング収納板とされるため、種々の収納手段をスライド自在あるいは移動自在に吊持することができる。したがって、小物類等の収納手段を使い勝手よく、見栄えよく収納することができる。
【０００９】
請求項３に記載の収納設備は上記のとおりであり、請求項２の収納設備の有する効果に加え、上記ハンギング収納板が水平方向にレール部を凹設するとともに、このレール部に収納手段がスライド自在に吊持されるため、使い勝手よく、また、見栄えよく、小物類等の収納物を収納することができる。
【発明を実施するための最良の形態】
【００１０】
以下、本発明の実施形態について図面を参照して、詳細に説明する。図１は、本発明にかかる収納設備Ａを示す斜視図である。図１に示されるように、上記収納設備Ａは、上部収納ユニット１、下部収納ユニット２、側部収納ユニット３が壁面Ｗに沿っていわゆるコ字形に配置され、上部収納ユニット１と下部収納ユニット２との間にはアクセントウォールとしてのハンギング収納板４が設けられている。
【００１１】
図１において、上記ハンギング収納板４はビス等の固定手段４２によって壁面Ｗに固定され、ハンギング収納板４の上側端面４３には上部収納ユニット１が載置されるとともに同じくビス等の固定手段１１によって壁面Ｗに固定される。また、ハンギング収納板４の水平方向に沿ってレール部４１が凹設され、このレール部４１には小物掛けフック、引き出し、収納トレイ等の収納手段が吊持される。
【００１２】
つぎに、本発明にかかる収納設備Ａの施工方法について説明する。図２は、最初に、下部収納ユニット２の側面に側部収納ユニット３を並設した状態を示す説明図である。例えば、玄関土間に下部収納ユニット２として下駄箱を設置し、その側面に長尺物等を収納する側部収納ユニット３を設置した場合に相当する。
【００１３】
ついで、図３に示すように、上記下部収納ユニット２の上にハンギング収納板４を載置して上側端面４３の水平レベルを出し、ビス等の固定手段４２によって壁面に固定する。このとき、ハンギング収納板４は下部収納ユニット２の上に仮置きできるため、作業者は上記した固定作業を一人で行うことができる。さらに、上部収納ユニット１として、例えば、天袋を施工する場合、図４に示すように、ハンギング収納板４の上側端面４３の上に天袋を載置できるため、他の作業者が支えて補助する必要なく、上記と同様に、一人の作業者が天袋をビス等の固定手段１１を用いて壁面に固定することができる。
【００１４】
上記のように施工することによって、上部収納ユニット１と下部収納ユニット２との間の空間はハンギング収納板４によって小物類の収納空間として有効利用できる。図５は、ハンギング収納板４に凹設されたレール部４１に収納トレイ５を吊持する状態を示す説明図である。図５において、収納トレイ５の奥側の側壁に設けられた係合部５１を上記レール部４１にスライド自在に係合することにより、種々の小物類を上記収納トレイ５に使い勝手よく、かつ、見栄えよく収納することができる。
【００１５】
図５には、収納手段として収納トレイ５が例示されているが、これに限られず、小物掛けフック、引き出し等に係合部を付設して、上記レール部４１にスライド自在に係合してもよい。さらに、収納手段に限られず、写真立て、額縁等を吊持することも可能であり、本発明の特許請求の範囲を逸脱しない限り、種々設計変更自由である。
【図面の簡単な説明】
【００１６】
【図１】本発明にかかる収納設備を示す斜視図である。
【図２】本発明にかかる収納設備の施工の初期状態を示す説明図である。
【図３】本発明にかかる下部収納ユニットの上にハンギング収納板を載置し、壁面に固定した状態を示す説明図である。
【図４】本発明にかかるハンギング収納板の上側端面の上に上部収納ユニットを載置し、壁面に固定した状態を説明する説明図である。
【図５】ハンギング収納板に収納トレイを吊持する状態を示す説明図である。
【符号の説明】
【００１７】
Ａ          本発明にかかる収納設備
Ｗ          壁面
１          上部収納ユニット
１１        固定手段
２          下部収納ユニット
３          側部収納ユニット
４          ハンギング収納板
４１        レール部
４２        固定手段
４３        上側端面
５          収納トレイ
５１        係合部
【図１】
0004650160.tif 000002
【図２】
0004650160.tif 000003
【図３】
0004650160.tif 000004
【図４】
0004650160.tif 000005
【図５】
0004650160.tif 000006